(57)【要約】【課題】  感光体の寿命が短い短寿命用画像形成用ユニットと、感光体の寿命が長い長寿命用画像形成用ユニットとを用いた場合にも、１つの帯電用共通電源から複数の画像形成用ユニットの帯電部材に適切な帯電バイアス電圧を印加させて、良好な画像形成が行えるようにする。【解決手段】  帯電用共通電源30から帯電部材12に帯電バイアス電圧が印加される２以上の画像形成用ユニット10A〜10Dを識別手段31により識別し、制御手段33により、短寿命用画像形成用ユニット10AS〜10DSが含まれる場合に、帯電用共通電源から各帯電部材に短寿命用画像形成用ユニットに対応した第１バイアス電圧Vb1を印加させ、長寿命用画像形成用ユニット10AL〜10DLだけである場合に、長寿命用画像形成用ユニットに対応した第２バイアス電圧Vb2を印加させるようにした。【選択図】  図４
2010282076.tif 000002
【特許請求の範囲】
【請求項１】
感光体とこの感光体の表面を帯電させる帯電部材とを備えた画像形成用ユニットが複数装着される画像形成装置において、上記の画像形成用ユニットとして、感光体の寿命が短い短寿命用画像形成用ユニットと、感光体の寿命が長い長寿命用画像形成用ユニットとが用いられると共に、短寿命用画像形成用ユニットと長寿命用画像形成用ユニットとを識別する識別手段が設けられ、２以上の画像形成用ユニットにおける帯電部材に帯電バイアス電圧を印加させる帯電用共通電源が設けられると共に、この帯電用共通電源から帯電部材に印加させる帯電バイアス電圧を短寿命用画像形成用ユニットに対応した第１バイアス電圧と長寿命用画像形成用ユニットに対応した第２バイアス電圧とに切り換える制御手段が設けられ、上記の識別手段により帯電用共通電源によって帯電部材に帯電バイアス電圧が印加される２以上の画像形成用ユニットを識別し、短寿命用画像形成用ユニットが含まれる場合に、上記の制御手段により帯電用共通電源から各帯電部材に印加させる帯電バイアス電圧を第１バイアス電圧にする一方、長寿命用画像形成用ユニットだけである場合に、上記の制御手段により帯電用共通電源から各帯電部材に印加させる帯電バイアス電圧を第２バイアス電圧にすることを特徴とする画像形成装置。
【請求項２】
請求項１に記載の画像形成装置において、上記の帯電部材が感光体の表面に接触又は近接して設けられることを特徴とする画像形成装置。
【請求項３】
請求項１又は請求項２に記載の画像形成装置において、上記の感光体は表面に有機感光層が設けられてなり、上記の長寿命用画像形成用ユニットに用いる感光体における有機感光層の層厚が、短寿命用画像形成用ユニットに用いる感光体における有機感光層の層厚よりも厚くなっていることを特徴とする画像形成装置。
【請求項４】
請求項１〜請求項３の何れか１項に記載の画像形成装置において、上記の短寿命用画像形成用ユニットの使用後に、上記の長寿命用画像形成用ユニットに交換されることを特徴とする画像形成装置。
【発明の詳細な説明】
【技術分野】
【０００１】
本発明は、複写機，プリンタ，ファクシミリ及びこれらの複合機等の電子写真方式を用いた画像形成装置において、感光体とこの感光体の表面を帯電させる帯電部材とを備えた画像形成用ユニットを複数装着させるようにした画像形成装置に関するものである。特に、上記の画像形成用ユニットとして、感光体の寿命が短い短寿命用画像形成用ユニットと、感光体の寿命が長い長寿命用画像形成用ユニットとを用いると共に、２以上の画像形成用ユニットにおける帯電部材に帯電用共通電源から帯電バイアス電圧を印加させるようにした場合において、２以上の画像形成用ユニットにおける帯電部材に適切な帯電バイアス電圧を印加させて、良好な画像形成が行えるようにした点に特徴を有するものである。
【背景技術】
【０００２】
複写機，プリンタ，ファクシミリ及びこれらの複合機等の電子写真方式を用いた画像形成装置においては、一般に、感光体を帯電装置によって帯電させた後、このように帯電された感光体に露光装置により画像データに従った露光を行って感光体の表面に静電潜像を形成し、このように静電潜像が形成された感光体に現像装置からトナーを供給して、感光体の表面に静電潜像に対応したトナー像を形成するようにしている。
【０００３】
ここで、上記のように感光体を帯電装置によって帯電させるにあたり、コロナ放電を利用した帯電装置を用いた場合にはオゾンの発生量が多くなるため、近年においては、帯電ローラ等の帯電部材を感光体の表面に接触又は近接させて、この帯電部材に帯電用電源から帯電バイアス電圧を印加させて、感光体を帯電させることが行われるようになった。
【０００４】
また、近年においては、フルカラーの画像形成を行うため、画像形成装置に、感光体とこの感光体の表面を帯電させる帯電部材とを備えた画像形成用ユニットを複数設け、各画像形成用ユニットにおける感光体に対して各現像装置から色彩の異なるトナーを供給して、各感光体の表面に各色彩のトナー像を形成し、このように各感光体の表面に形成された各色彩のトナー像を中間転写ベルト等を介して記録媒体に転写させて、記録媒体にフルカラー画像を形成するようにしたものが用いられている。
【０００５】
ここで、このように感光体とこの感光体の表面を帯電させる帯電部材とを備えた画像形成用ユニットを複数設けた画像形成装置において、各感光体の表面をそれぞれ帯電部材によって帯電させるにあたり、従来においては、一般に各帯電部材に対してそれぞれ別個の帯電用電源から適切な帯電バイアス電圧を印加させて、各感光体の表面を適切な電位になるように帯電させるようにしていた。
【０００６】
しかし、このように感光体の表面を帯電させる各帯電部材に対応させて複数の帯電用電源を設けると、コストが高くつくと共に、これらを収容させるスペースも必要になって装置が大型化し、さらに各帯電用電源から各帯電部材に印加させる帯電バイアス電圧を適切に制御することも必要になって、その制御が面倒になる等の問題があった。
【０００７】
また、従来においては、特許文献１に示されるように、各帯電部材に帯電バイアス電圧を印加させる帯電用電源を共通化させた帯電用共通電源を用いるようにしたものが提案されている。
【０００８】
ここで、この特許文献１に示されるものにおいては、上記のように帯電用共通電源から各帯電部材に帯電バイアス電圧を印加させるようにする一方、各感光体に対してそれぞれ支持基体バイアス用電源を設け、各支持基体バイアス用電源から各感光体に対してそれぞれ適当なバイアス電圧を印加させて、各感光体の表面電位の調整を行うようにしている。
【０００９】
しかし、このように各感光体に対してそれぞれ支持基体バイアス用電源を設けると、複数の帯電用電源を設ける場合と同様に、コストが高くつくと共に、これらを収容させるスペースも必要になって装置が大型化し、さらに各支持基体バイアス用電源から各感光体に印加させるバイアス電圧を適切に制御することも必要になって、その制御が面倒になる等の問題があった。
【先行技術文献】
【特許文献】
【００１０】
【特許文献１】特開２００４−６２０１６号公報
【発明の開示】
【発明が解決しようとする課題】
【００１１】
本発明は、感光体とこの感光体の表面を帯電させる帯電部材とを備えた画像形成用ユニットを複数装着させるようにした画像形成装置における上記のような問題を解決することを課題とするものである。
【００１２】
そして、本発明の画像形成装置においては、上記の画像形成用ユニットとして、感光体の寿命が短い短寿命用画像形成用ユニットと、感光体の寿命が長い長寿命用画像形成用ユニットとを用いた場合において、２以上の画像形成用ユニットにおける帯電部材に１つの帯電用共通電源から帯電バイアス電圧を印加させて、各画像形成用ユニットにおける感光体の表面を帯電させるにあたり、帯電用共通電源から２以上の画像形成用ユニットにおける帯電部材に印加させる帯電バイアス電圧を適切に制御して、各画像形成用ユニットにおける感光体の表面を適切に帯電させ、良好な画像形成が行えるようにすることを課題とするものである。
【課題を解決するための手段】
【００１３】
本発明においては、上記のような課題を解決するため、感光体とこの感光体の表面を帯電させる帯電部材とを備えた画像形成用ユニットが複数装着される画像形成装置において、上記の画像形成用ユニットとして、感光体の寿命が短い短寿命用画像形成用ユニットと、感光体の寿命が長い長寿命用画像形成用ユニットとが用いられた場合に、短寿命用画像形成用ユニットと長寿命用画像形成用ユニットとを識別する識別手段と、２以上の画像形成用ユニットにおける帯電部材に帯電バイアス電圧を印加させる帯電用共通電源と、この帯電用共通電源から帯電部材に印加させる帯電バイアス電圧を短寿命用画像形成用ユニットに対応した第１バイアス電圧と長寿命用画像形成用ユニットに対応した第２バイアス電圧とに切り換える制御手段とを設け、上記の識別手段により帯電用共通電源によって帯電部材に帯電バイアス電圧が印加される２以上の画像形成用ユニットを識別し、短寿命用画像形成用ユニットが含まれる場合に、上記の制御手段により帯電用共通電源から各帯電部材に印加させる帯電バイアス電圧を第１バイアス電圧にする一方、長寿命用画像形成用ユニットだけである場合に、上記の制御手段により帯電用共通電源から各帯電部材に印加させる帯電バイアス電圧を第２バイアス電圧にするようにした。
【００１４】
そして、本発明の画像形成装置においては、上記の帯電部材を感光体の表面に接触又は近接して設けるようにすることができる。
【００１５】
また、本発明の画像形成装置において、上記の感光体としては、表面に有機感光層が設けられたものを用いることができる。そして、このような感光体を用いる場合、長寿命用画像形成用ユニットに用いる感光体における有機感光層の層厚が、短寿命用画像形成用ユニットに用いる感光体における有機感光層の層厚よりも厚くなっている。
【００１６】
また、本発明の画像形成装置は、上記の短寿命用画像形成用ユニットの使用後に、上記の長寿命用画像形成用ユニットに交換させる場合に好適に利用される。
【発明の効果】
【００１７】
本発明の画像形成装置においては、２以上の画像形成用ユニットにおける帯電部材に帯電用共通電源から帯電バイアス電圧を印加させるにあたり、識別手段により帯電用共通電源によって帯電部材に帯電バイアス電圧が印加される２以上の画像形成用ユニットを識別し、短寿命用画像形成用ユニットが含まれる場合には、制御手段により帯電用共通電源から各帯電部材に短寿命用画像形成用ユニットに対応した第１バイアス電圧を印加する一方、長寿命用画像形成用ユニットだけである場合には、制御手段により帯電用共通電源から各帯電部材に長寿命用画像形成用ユニットに対応した第２バイアス電圧を印加するようにした。
【００１８】
このようにすると、各画像形成用ユニットに設けられた各帯電部材に対してそれぞれ別個の帯電用電源を設ける必要がなくなり、コストが低減されると共に、装置が大型化するということもなくなる。
【００１９】
また、上記のように短寿命用画像形成用ユニットが含まれる場合に、帯電用共通電源から各画像形成用ユニットにおける帯電部材に短寿命用画像形成用ユニットに対応した第１バイアス電圧を印加すると、長寿命用画像形成用ユニットに用いらている寿命の長い感光体の表面電位は、長寿命用画像形成用ユニットに対応した第２バイアス電圧を印加した場合における適切な表面電位からずれるが、寿命の長い感光体を用いた長寿命用画像形成用ユニットは、寿命の短い感光体を用いた短寿命用画像形成用ユニットに比べて、感光体の表面電位の許容幅が広くなっているため、画像に悪影響を及ぼすということが少なく、良好な画像形成が行えるようになる。
【００２０】
一方、上記のように長寿命用画像形成用ユニットだけである場合に、帯電用共通電源から各画像形成用ユニットにおける帯電部材に長寿命用画像形成用ユニットに対応した第２バイアス電圧を印加させるようにすると、長寿命用画像形成用ユニットにおける各感光体の表面が、帯電部材によって適切な電位に帯電されるようになり、より良好な画像形成が行えるようになる。
【図面の簡単な説明】
【００２１】
【図１】本発明の一実施形態に係る画像形成装置を示した概略説明図である。
【図２】同実施形態の画像形成装置に使用した感光体の部分説明図である。
【図３】同実施形態の画像形成装置において、装着された全ての画像形成用ユニットが短寿命用画像形成用ユニットである場合に、帯電用共通電源から各帯電ローラに第１バイアス電圧を印加させる状態を示した部分説明図である。
【図４】同実施形態の画像形成装置において、短寿命用画像形成用ユニットの一部が長寿命用画像形成用ユニットに交換された場合に、帯電用共通電源から各帯電ローラに第１バイアス電圧を印加させる状態を示した部分説明図である。
【図５】同実施形態の画像形成装置において、装着された全ての画像形成用ユニットが長寿命用画像形成用ユニットに交換された場合に、帯電用共通電源から各帯電ローラに第２バイアス電圧を印加させる状態を示した部分説明図である。
【図６】同実施形態の画像形成装置のように、有機感光層が設けられた感光体の表面に帯電ローラを接触させて感光体の表面を帯電させる場合において、有機感光層の層厚と、帯電される感光体の表面電位との関係を示した図である。
【発明を実施するための最良の形態】
【００２２】
次に、この発明の実施形態に係る画像形成装置を添付図面に基づいて具体的に説明する。なお、本発明に係る画像形成装置は、下記の実施形態に示したものに限定されず、その要旨を変更しない範囲において適宜変更して実施できるものである。
【００２３】
この実施形態の画像形成装置においては、図１に示すように、その装置本体１内に、４つの画像形成用ユニット１０Ａ〜１０Ｄを装着させるようにしている。
【００２４】
ここで、上記の各画像形成用ユニット１０Ａ〜１０Ｄにおいては、ドラム状の感光体１１を回転可能に設けると共に、この感光体１１の表面に接触して感光体１１の表面を帯電させる帯電ローラ１２からなる帯電部材と、帯電された感光体１１の表面に画像情報に応じた露光を行って感光体１１の表面に静電潜像を形成する露光装置１３と、上記の感光体１１の表面に形成された静電潜像にトナーを供給してトナー像を形成する現像装置１４と、上記の感光体１１の表面に形成されたトナー像を中間転写ベルト２１に転写させた後における感光体１１の表面に光を照射させて除電させる除電装置１５と、除電後の感光体１１の表面に残留するトナー等の残留物を除去する第１クリーニング装置１６とを設けている。
【００２５】
また、上記の各画像形成用ユニット１０Ａ〜１０Ｄにおける各現像装置１４においては、黒色，黄色，マゼンダ色，シアン色の異なった色彩のトナーを収容させている。
【００２６】
ここで、この実施形態に係る画像形成装置において、フルカラーの画像形成を行うにあたっては、上記の各画像形成用ユニット１０Ａ〜１０Ｄにおける各帯電ローラ１２に帯電用共通電源３０から帯電バイアス電圧を印加させて、各画像形成用ユニット１０Ａ〜１０Ｄにおける各感光体１１の表面を帯電させ、このように帯電された各感光体１１の表面にそれぞれ露光装置１３により画像情報に応じた露光を行って各感光体１１の表面に静電潜像を形成するようにしている。
【００２７】
そして、このように静電潜像が形成された各感光体１１に対して、それぞれ対応する現像装置１４からそれぞれの色彩のトナーを供給し、各画像形成用ユニット１０Ａ〜１０Ｄにおける各感光体１１の表面にそれぞれの色彩のトナー像を形成するようにしている。
【００２８】
次いで、このように各画像形成用ユニット１０Ａ〜１０Ｄにおける各感光体１１の表面に形成された各色彩のトナー像を、回転ローラ２２に架け渡されて回転移動される中間転写ベルト２１の表面に、各感光体１１と対向するようにしてこの中間転写ベルト２１の背面側に設けられた各一次転写ローラ２３により順々に転写させて、この中間転写ベルト２１の表面にフルカラーのトナー像を形成するようにしている。
【００２９】
そして、このようにフルカラーのトナー像を中間転写ベルト２１に転写させた後における各感光体１１の表面に除電装置１５から光を照射させて、各感光体１１の表面を除電させた後、各感光体１１の表面に残留するトナー等の残留物をそれぞれ第１クリーニング装置１６によって各感光体１１の表面から除去するようにしている。
【００３０】
一方、上記のように中間転写ベルト２１の表面に形成されたフルカラーのトナー像を、上記の回転ローラ２２と転写ローラ２とが対向する転写部に導くと共に、記録媒体Ｓを給紙ローラ３により給紙し、この記録媒体Ｓをタイミングローラ４によって適当なタイミングで上記の回転ローラ２２と転写ローラ２とが対向する転写部に導き、中間転写ベルト２１の表面におけるフルカラーのトナー像を記録媒体Ｓに転写させるようにしている。
【００３１】
次いで、このようにフルカラーのトナー像が転写された記録媒体Ｓを一対の定着ローラ６，６が設けられた定着部に導き、この一対の定着ローラ６，６間において、上記のフルカラーのトナー像を記録媒体Ｓに定着させた後、この記録媒体Ｓを排紙ローラ７により排紙させるようにしている。
【００３２】
また、上記のように中間転写ベルト２１の表面に形成されたフルカラーのトナー像を記録媒体Ｓに転写させた後、この中間転写ベルト２１の表面に残ったトナー等の残留物を第２クリーニング装置８により中間転写ベルト２１から除去するようにしている。
【００３３】
ここで、この実施形態の画像形成装置においては、上記の各画像形成用ユニット１０Ａ〜１０Ｄとして、寿命が短い感光体１１が装着された短寿命用画像形成用ユニット１０ＡＳ〜１０ＤＳと、寿命が長い感光体１１が装着された長寿命用画像形成用ユニット１０ＡＬ〜１０ＤＬとを用いるようにしている。
【００３４】
また、上記の感光体１１としては、図２に示すように、アルミニウム管等の導電性基体１１ａの表面に、電荷発生層１１ｂ１と電荷輸送層１１ｂ２とを有する有機感光層１１ｂが設けられたものを用いており、この有機感光層１１ｂの層厚が、寿命が短い感光体１１よりも寿命が長い感光体１１の方が厚くなるようにしている。
【００３５】
そして、この実施形態の画像形成装置においては、当初は上記の各画像形成用ユニット１０Ａ〜１０Ｄとして、図３に示すように、寿命が短い感光体１１が装着された短寿命用画像形成用ユニット１０ＡＳ〜１０ＤＳを装着させるようにし、このような短寿命用画像形成用ユニット１０ＡＳ〜１０ＤＳの使用後は、適宜、寿命が長い感光体１１が装着された長寿命用画像形成用ユニット１０ＡＬ〜１０ＤＬに交換させるようにし、図４に示す例では、１つの短寿命用画像形成用ユニット１０ＡＳを長寿命用画像形成用ユニット１０ＡＬに変更させている。
【００３６】
そして、最終的には、図５に示すように、全ての短寿命用画像形成用ユニット１０ＡＳ〜１０ＤＳを、長寿命用画像形成用ユニット１０ＡＬ〜１０ＤＬに交換させるようにしている。
【００３７】
また、この実施形態の画像形成装置においては、図３〜図５に示すように、上記の短寿命用画像形成用ユニット１０ＡＳ〜１０ＤＳと長寿命用画像形成用ユニット１０ＡＬ〜１０ＤＬとを識別する識別手段３１を設けると共に、上記の帯電用共通電源３０から各帯電ローラ１２に印加させる帯電バイアス電圧を、短寿命用画像形成用ユニット１０ＡＳ〜１０ＤＳに対応した第１バイアス電圧Ｖｂ１と長寿命用画像形成用ユニット１０ＡＬ〜１０ＤＬに対応した第２バイアス電圧Ｖｂ２とに切り換える制御手段３２を設けている。
【００３８】
ここで、上記の識別手段３１によって短寿命用画像形成用ユニット１０ＡＳ〜１０ＤＳと長寿命用画像形成用ユニット１０ＡＬ〜１０ＤＬとを識別するにあたっては、短寿命用画像形成用ユニット１０ＡＳ〜１０ＤＳと長寿命用画像形成用ユニット１０ＡＬ〜１０ＤＬとに異なる突起（図示せず）を設けるようにしたり、また短寿命用画像形成用ユニット１０ＡＳ〜１０ＤＳと長寿命用画像形成用ユニット１０ＡＬ〜１０ＤＬとに設けられたメモリー（図示せず）に識別するための情報を格納させたりし、これらを上記の識別手段３１によって検知させるようにすることができる。
【００３９】
また、上記のように導電性基体１１ａの表面に有機感光層１１ｂが設けられた感光体１１を用い、この感光体１１の表面に帯電ローラ１２を接触させて感光体１１の表面を帯電させるようにした場合、図６に示すように、上記の有機感光層１１ｂの層厚が大きくなるに従って、帯電される感光体１１の表面電位が低下するようになる。
【００４０】
このため、この実施形態の画像形成装置において、上記の制御手段３２によって帯電用共通電源３０から各帯電ローラ１２に印加させる帯電バイアス電圧を、短寿命用画像形成用ユニット１０ＡＳ〜１０ＤＳに対応した第１バイアス電圧Ｖｂ１と長寿命用画像形成用ユニット１０ＡＬ〜１０ＤＬに対応した第２バイアス電圧Ｖｂ２とに切り換えるにあたり、有機感光層１１ｂの層厚が小さい感光体１１を用いた短寿命用画像形成用ユニット１０ＡＳ〜１０ＤＳに対応した第１バイアス電圧Ｖｂ１の絶対値｜Ｖｂ１｜と、有機感光層１１ｂの層厚が大きい感光体１１を用いた長寿命用画像形成用ユニット１０ＡＬ〜１０ＤＬに対応した第２バイアス電圧Ｖｂ２の絶対値｜Ｖｂ２｜が、｜Ｖｂ１｜＜｜Ｖｂ２｜の関係になるようにしている。
【００４１】
そして、この実施形態の画像形成装置においては、装着された画像形成用ユニット１０Ａ〜１０Ｄを上記の識別手段３１により識別し、図３や図４に示されるように、短寿命用画像形成用ユニット１０ＡＳ〜１０ＤＳが１つでも存在することが検知された場合には、長寿命用画像形成用ユニット１０ＡＬ〜１０ＤＬの何れかが装着されている場合においても、上記の制御手段３２により上記の帯電用共通電源３０から全ての画像形成用ユニット１０Ａ〜１０Ｄにおける各帯電ローラ１２に対して、短寿命用画像形成用ユニット１０ＡＳ〜１０ＤＳに対応した第１バイアス電圧Ｖｂ１を印加させるようにする。
【００４２】
ここで、上記のように短寿命用画像形成用ユニット１０ＡＳ〜１０ＤＳが１つでも存在する場合に、帯電用共通電源３０から各画像形成用ユニット１０Ａ〜１０Ｄにおける各帯電ローラ１２に短寿命用画像形成用ユニット１０ＡＳ〜１０ＤＳに対応した第１バイアス電圧Ｖｂ１を印加すると、装着された長寿命用画像形成用ユニット１０ＡＬ〜１０ＤＬにおける有機感光層１１ｂの層厚が大きい感光体１１の表面電位が、上記の第２バイアス電圧Ｖｂ２を印加させた場合の好適な表面電位よりも低くなる。
【００４３】
しかし、有機感光層１１ｂの層厚が大きい感光体１１を用いた長寿命用画像形成用ユニット１０ＡＬ〜１０ＤＬにおいては、感光体１１の表面電位の許容幅が広くなっているため、有機感光層１１ｂの層厚が小さい感光体１１を用いた短寿命用画像形成用ユニット１０ＡＳ〜１０ＤＳの各帯電ローラ１２に上記の第２バイアス電圧Ｖｂ２を印加させて感光体１１を帯電させた場合に比べて、画像に悪影響を及ぼすということが少なく、良好な画像形成が行えるようになる。
【００４４】
そして、図５に示すように、全ての短寿命用画像形成用ユニット１０ＡＳ〜１０ＤＳが長寿命用画像形成用ユニット１０ＡＬ〜１０ＤＬに交換されたことを上記の識別手段３１によって検知した場合には、上記の制御手段３２により、帯電用共通電源３０から各帯電ローラ１２に印加させる帯電バイアス電圧を、長寿命用画像形成用ユニット１０ＡＬ〜１０ＤＬに対応した第２バイアス電圧Ｖｂ２に切り換えるようにする。
【００４５】
このようにすると、各長寿命用画像形成用ユニット１０ＡＬ〜１０ＤＬにおける各感光体１１が、第２バイアス電圧Ｖｂ２が印加された各帯電ローラ１２によって適切な表面電位になるように帯電されて、より良好な画像形成が行えるようになる。
【００４６】
なお、短寿命用画像形成用ユニット１０ＡＳ〜１０ＤＳを長寿命用画像形成用ユニット１０ＡＬ〜１０ＤＬに切り換える時期のばらつきや、環境条件の変動等に応じて、上記の帯電用共通電源３０から各帯電ローラ１２に印加させる上記の第１バイアス電圧Ｖｂ１や第２バイアス電圧Ｖｂ２を補正させたりすることも可能である。
【符号の説明】
【００４７】
１  装置本体
２  転写ローラ
３  給紙ローラ
４  タイミングローラ
６  定着ローラ
７  排紙ローラ
８  第２クリーニング装置
１０Ａ〜１０Ｄ  画像形成用ユニット
１０ＡＳ〜１０ＤＳ  短寿命用画像形成用ユニット
１０ＡＬ〜１０ＤＬ  長寿命用画像形成用ユニット
１１  感光体
１１ａ  導電性基体
１１ｂ  有機感光層
１１ｂ１  電荷発生層
１１ｂ２  電荷輸送層
１２  帯電ローラ（帯電部材）
１３  露光装置
１４  現像装置
１５  除電装置
１６  第１クリーニング装置
２１  中間転写ベルト
２２  回転ローラ
２３  一次転写ローラ
３０  帯電用共通電源
３１  識別手段
３２  制御手段
Ｓ  記録媒体
Ｖｂ１  第１バイアス電圧
Ｖｂ２  第２バイアス電圧
【図１】
2010282076.tif 000003
【図２】
2010282076.tif 000004
【図３】
2010282076.tif 000005
【図４】
2010282076.tif 000006
【図５】
2010282076.tif 000007
【図６】
2010282076.tif 000008